(57)【要約】【課題】支柱に対してパネルを取付けやすいフェンスを提供する。【解決手段】支柱１間にパネル２が取付けられ、前記パネル２は、複数の縦桟２１と横桟２２とを備え、前記縦桟２１と前記横桟２２とは、各交差部２３において前後に貫通する連結部材３によって交差角度を変更可能に連結され、支柱１と横桟２２とは、その間に配置されたスペーサー５を介して前後に貫通する締結部材４によって隙間Ｓをあけて締結されるとともに、横桟２２を貫通して支柱１に向けて突出する連結部材３の突出部が、前記隙間Ｓに配置可能となるように構成する。【選択図】  図５
2015168931.tif 000002
【特許請求の範囲】
【請求項１】
間隔をあけて立設された支柱間にパネルが取付けられ、
前記パネルは、複数の縦桟と横桟とを備え、
前記縦桟と前記横桟とは、各交差部において前後に貫通する連結部材によって交差角度を変更可能に連結され、
支柱と横桟とは、その間に配置されたスペーサーを介して前後に貫通する締結部材によって隙間をあけて締結されるとともに、
横桟を貫通して支柱に向けて突出する連結部材の突出部が、前記隙間に配置可能となされていることを特徴とするフェンス。
【請求項２】
前記スペーサーは、薄板状に形成されるとともに、その中央部に前記締結部材が貫通する透孔が形成されていることを特徴とする請求項１に記載のフェンス。
【発明の詳細な説明】
【技術分野】
【０００１】
本発明は、住宅、工場、公共施設等の敷地境界部や隣地境界部に設けられるフェンスに関する。
【背景技術】
【０００２】
一般に、道路と敷地の境界、敷地同士の境界等を仕切るために、その境界部に沿ってフェンスが取付けられている。前記フェンスは、通常、境界に沿って立設された支柱間にパネルが取付けられたものであり、支柱の側面間に該支柱とパネルとが略同一面上に取付けられる、いわゆる固定柱タイプと、支柱の前面側にパネルが取付けられる、いわゆる自由柱タイプとがある。
【０００３】
前記フェンスにおいて、例えば、自由柱タイプの場合は、支柱の前面にパネルを直接固定する場合と、支柱に固定したブラケットや胴縁を介して固定する場合等がある。例えば、特許文献１には、互に平行をなす複数の横杆と、各横杆と交差する、互に平行をなす複数の縦杆との各交差部を、それぞれねじをもって締着したものよりなる任意の数の単位ユニットを、その適所を支柱にねじ止めし、かつ各横杆の端部を、隣接する他の単位ユニットにおける各横杆の端部に結合することにより順次連結してなる組立式フェンスが提案されている。
【先行技術文献】
【特許文献】
【０００４】
【特許文献１】実開平０２−０４５２５３号公報
【発明の概要】
【発明が解決しようとする課題】
【０００５】
ところで、前記のような組立式フェンスにおいては、特許文献１の第２図に示されるように、支柱と単位ユニットとを接続する場合は、ボルトで締結しているため、単位ユニットの縦杆のピッチが狭い場合は、支柱に連結する縦杆の隣り合う縦杆が正面視において重合して、縦杆と横杆とを連結するねじと支柱とが干渉して、単位ユニットが支柱に取付けにくくなるおそれがあった。
【０００６】
本発明は、前記の如き問題点を解消し、支柱に対してパネルを取付けやすいフェンスＰを提供するものである。
【課題を解決するための手段】
【０００７】
上記目的を達成するために、本発明は次のような構成としている。
すなわち本発明に係るフェンスは、
間隔をあけて立設された支柱間にパネルが取付けられ、前記パネルは、複数の縦桟と横桟とを備え、前記縦桟と前記横桟とは、各交差部において前後に貫通する連結部材によって交差角度を変更可能に連結され、支柱と横桟とは、その間に配置されたスペーサーを介して前後に貫通する締結部材によって隙間をあけて締結されるとともに、横桟を貫通して支柱に向けて突出する連結部材の突出部が、前記隙間に配置可能となされていることを特徴とするものである。
【０００８】
本発明において、前記スペーサーは、薄板状に形成されるとともに、その中央部に前記締結部材が貫通する透孔が形成されていてもよい。
【発明の効果】
【０００９】
本発明によれば、パネルの縦桟と横桟とは、各交差部において前後に貫通する連結部材によって交差角度を変更可能に連結され、支柱と横桟とは、スペーサーを介して隙間をあけて連結され、横桟を貫通して支柱に向けて突出する連結部材の突出部が、前記隙間に配置可能となされているので、施工時の僅かな施工誤差によって、支柱の設置位置にずれが生じて、正面視において、支柱とパネルの縦桟とが重なり合う位置となっても、連結部材の突出部と支柱とが干渉することがなく、支柱に対してパネルを取付けやすくなる。
【００１０】
本発明において、前記スペーサーは、薄板状に形成されるとともに、その中央部に前記締結部材が貫通する透孔が形成されば、施工時に締結部材をスペーサーの透孔を通すことによって支柱と横桟間との隙間を確実に形成して、施工後は容易に外れることがない。
【図面の簡単な説明】
【００１１】
【図１】本発明に係るフェンスにおいて実施の一形態を示す正面図である。
【図２】図１の正面図である。
【図３】図２のＡ−Ａ拡大断面図である。
【図４】図１の支柱付近の拡大正面図である。
【図５】図４のＢ−Ｂ拡大断面図の主要部である。
【図６】図５のスペーサーの説明図である。
【発明を実施するための形態】
【００１２】
次に、本発明を実施するための最良の形態について図面を参照し、具体的に説明する。
【００１３】
図面において、１は設置面に間隔をおいて立設された支柱１、２は支柱１の前面に取付けられたパネル２、３及び４はパネル２を構成する縦桟２１及び横桟２２である。
【００１４】
図１は本発明に係るフェンスＰにおいて実施の一形態を示す正面図である。
支柱１は、その下部が設置面に埋設されて適宜間隔をあけて立設されている。支柱１は一般に強度的に安定している鋼管が用いられるが、鋼材以外に他の金属を用いてもよい。他の金属としては、アルミニウム合金、ステンレス合金等を挙げることができる。なお、支柱１の前面とは、支柱１に対してパネル２が取付けられる面側を前面としたものであり、実施例についてもその様に説明するが、フェンスＰが敷地境界部に設置される場合は、道路等に面した外側を前面としてもよく、また家屋側を前面としてもよい。
【００１５】
図２−３はパネル２の説明図であり、図２は正面図、図３は図２のＡ−Ａ拡大断面図の主要部である。パネル２は、左右に間隔をあけて配置された多数の縦桟２１と、上下に間隔をあけて配置された横桟２２とが、その交差部２３で連結されて縦格子状に形成されている。
【００１６】
交差部２３において、縦桟２１と横桟２２とは、重なり合った箇所を前後に貫通する連結部材３によって軸支されており、縦桟２１と横桟２２との交差角度を変更して、図２の（ａ）に示すような縦桟２１と横桟２２とが略直交した形態と、（ｂ）に示すような縦桟２１に対して横桟２２を斜めに交差した形態とに変更することができる。
【００１７】
前記連結部材３は、本形態では、図３に示すようにビス３１と該ビス３１のねじ先端部に螺着されるナット３２である。本形態では、ビス３１の頭部３１ａは、横桟２２の背面側に配置されており、ナット３２は縦桟２１の前面側に配置されているが、ビス３１とナット３２とを前後逆に配置してもよい。
【００１８】
縦桟２１及び横桟２２は、一般には強度的に安定しておりコストの安い角形の鋼管が好適に用いられるが、他の金属を用いてもよく、ステンレス合金やアルミニウム合金を用いることができる。隣り合う縦桟２１のピッチは特に限定されるものではないが、フェンスＰを設置した時に、通行人等が横桟２２に足を掛けてパネル２を容易に乗り越えないように、該縦桟２１間のピッチは靴が入りにくい方が好ましく、本形態では約５０ｍｍとしている。
【００１９】
縦桟２１の断面形状は、本形態に限定されるものではなく、他の多角形状の断面でもよく、円形状の断面でもよく、これらを組み合わせた形状でもよいが、横桟２２との交差部２３では、横桟２２と重なりやすい形状が好ましく、一般には上下にわたって平坦な平坦部が形成されているものが好ましい。
【００２０】
次に、支柱１とパネル２との固定構造について、図４、図５を用いて説明する。図４は図１の支柱１付近の拡大正面図、図５は図４のＢ−Ｂ拡大断面図の主要部である。支柱１とパネル２とは、正面視において支柱１とパネル２の横桟２２との重合箇所を前後に貫通する締結部材４によって連結されている。
【００２１】
更に詳しく説明すると、本形態では、図５に示すように支柱１及び横桟２２には前後に貫通する貫通孔１ａ、貫通孔２２ａがそれぞれ設けられている。締結部材４としてのボルト４１が、各貫通孔１ａ、貫通孔２２ａを通って支柱１と横桟２２とを貫通しており、ボルト４１のねじ先端部にナット４２が螺着され、ナット４２を締め付けることによって、支柱１と横桟２２とを所定の角度で交差させた状態で固定することができる。
【００２２】
支柱１と横桟２２との間には、スペーサー５が配置されている。スペーサー５は、本形態では、薄板状に形成されて、その厚さ方向に貫通する透孔５１が設けられるとともに、前記透孔５１にボルト４１が貫通している。そして、支柱１と横桟２２とは、スペーサー５の厚さ寸法に対応した隙間Ｓが設けられた状態で締結される。
【００２３】
また図５に示すように、スペーサー５によって形成された支柱１と横桟２２との隙間Ｓに、パネル２の交差部２３のビス３１の頭部３１ａが配置可能になされている。一般にフェンスＰを施工する際は、まず支柱１を施工するところ、僅かな施工誤差によって支柱１の位置がずれるおそれがあり、また、パネル２を急傾斜面に設置する場合は、縦桟２１のピッチが支柱１の幅寸法よりも狭くなる場合がある。これにより、正面視において想定していない縦桟２１と支柱１との重合が生じうるが、ビス３１の頭部３１ａと支柱１とは干渉しないように隙間Ｓが幅広となされているので、前記施工作業を支障なく実施することができる。
【００２４】
スペーサー５は、本形態では、図６に示すように、正面視矩形状であって、中央部に透孔５１が形成されたものであるが、例えば、正面視円形状でもよく、四角形以外の多角形状でもよい。
【符号の説明】
【００２５】
１    支柱
１ａ  貫通孔
２    パネル
２１  縦桟
２２  横桟
２２ａ  貫通孔
２３  交差部
３    連結部材
３１  ビス
３１ａ  頭部
３２  ナット
４    締結部材
４１  ボルト
４２  ナット
５    スペーサー
５１  透孔
Ｐ    フェンス
Ｓ    隙間
【図１】
2015168931.tif 000003
【図２】
2015168931.tif 000004
【図３】
2015168931.tif 000005
【図４】
2015168931.tif 000006
【図５】
2015168931.tif 000007
【図６】
2015168931.tif 000008